(57)【特許請求の範囲】
【請求項１】
電子データ化された広告の配信を要求する端末装置にネットワークで接続され、前記広告の一覧を前記端末装置に配信する広告一覧配信装置と、前記端末装置および前記広告一覧配信装置にネットワークで接続され、前記広告を前記端末装置に配信する広告配信装置とを有する広告配信システムであって、
前記広告一覧配信装置は、
前記広告の入力を受付ける入力受付手段と、
前記入力受付手段が受付けた前記広告を前記広告配信装置に送信する第１の送信手段と、
前記入力受付手段が受付けた前記広告の一覧を作成する作成手段と、
前記作成手段が作成した前記広告の一覧を前記端末装置に送信する第２の送信手段と、を備え、
前記端末装置は、
前記広告一覧配信装置から前記広告の一覧を受信する第１の受信手段と、
前記第１の受信手段が受信した前記広告の一覧に含まれる前記広告から、利用者による前記広告の選択を受付ける選択受付手段と、
前記選択受付手段が選択を受付けた前記広告の配信要求を前記広告配信装置に送信する第３の送信手段と、を備え、
前記広告配信装置は、
前記広告を記憶可能な広告記憶手段と、
前記広告一覧配信装置から前記広告を受信し、前記広告記憶手段に保存する第２の受信手段と、
前記端末装置から前記配信要求を受信する第３の受信手段と、
前記第３の受信手段が受信した前記配信要求に基づき、要求された前記広告を前記広告記憶手段から取得し、取得した前記広告を前記端末装置に送信する第４の送信手段と、
を備えたことを特徴とする広告配信システム。
【請求項２】
前記広告一覧配信装置は、
前記広告を分類する情報であり、前記端末装置ごとに予め定められた広告種別を記憶する種別記憶手段をさらに備え、
前記作成手段は、前記端末装置ごとに前記種別記憶手段から前記広告種別を取得し、前記入力受付手段が受付けた前記広告のうち、取得した前記広告種別に属する前記広告の一覧を作成すること、
を特徴とする請求項１に記載の広告配信システム。
【請求項３】
前記種別記憶手段は、広告に関連する店舗を前記広告種別として記憶すること、
を特徴とする請求項２に記載の広告配信システム。
【請求項４】
前記種別記憶手段は、広告に関連する店舗が存在する地域を前記広告種別として記憶すること、
を特徴とする請求項２に記載の広告配信システム。
【請求項５】
前記端末装置は、
前記第１の受信手段が前記広告の一覧を受信した際、前記広告を分類する情報であり、前記端末装置ごとに予め定められた広告種別の指定を受付ける指定受付手段と、
前記指定受付手段が受付けた前記広告種別を前記広告一覧配信装置に送信する第５の送信手段をさらに備え、
前記広告一覧配信装置は、
前記端末装置から前記広告種別を受信する第４の受信手段と、
前記第４の受信手段が受信した前記広告種別を前記種別記憶手段に登録する登録手段と、をさらに備えたこと、
を特徴とする請求項１に記載の広告配信システム。
【請求項６】
前記端末装置は、
前記広告の一覧の配信停止要求の入力を受付ける要求受付手段と、
前記要求受付手段が受付けた前記配信停止要求を前記広告一覧配信装置に送信する第６の送信手段と、
前記要求受付手段が前記配信停止要求を受付けた場合に、前記広告種別に属する前記広告の前記配信要求を前記広告配信装置に送信する第７の送信手段と、をさらに備え、
前記広告一覧配信装置は、
前記端末装置から前記配信停止要求を受信する第５の受信手段をさらに備え、
前記第２の送信手段は、前記第５の受信手段が前記配信停止要求を受信した場合に、前記配信停止要求を送信した前記端末装置に対する前記広告の一覧の送信を停止すること、
を特徴とする請求項２〜５のいずれか一つに記載の広告配信システム。
【請求項７】
前記入力受付手段は、新聞と共に配布される折込広告を読取手段によって電子データ化した前記広告の入力を受付けること、
を特徴とする請求項１〜６のいずれか一つに記載の広告配信システム。
【請求項８】
電子データ化された広告の配信を要求する端末装置にネットワークで接続され、前記広告の一覧を前記端末装置に配信する広告一覧配信装置と、前記端末装置および前記広告一覧配信装置にネットワークで接続され、前記広告を前記端末装置に配信する広告配信装置とを有する広告配信システムにおける広告配信方法であって、
前記広告一覧配信装置の入力受付手段によって、前記広告の入力を受付ける入力受付ステップと、
前記広告一覧配信装置の第1の送信手段によって、前記入力受付ステップが受付けた前記広告を前記広告配信装置に送信する第１の送信ステップと、
前記広告配信装置の第1の受信手段によって、前記広告一覧配信装置から前記広告を受信する第１の受信ステップと、
前記広告配信装置の広告記憶手段に、前記第１の受信手段が受信した前記広告を記憶する広告記憶ステップと、
前記広告一覧配信装置の作成手段によって、前記入力受付手段が受付けた前記広告の一覧を作成する作成ステップと、
前記広告一覧配信装置の第２の送信手段によって、前記作成ステップが作成した前記広告の一覧を前記端末装置に送信する第２の送信ステップと、
前記端末装置の第２の受信手段によって、前記広告一覧配信装置から前記広告の一覧を受信する第２の受信ステップと、
前記端末装置の選択受付手段によって、前記第２の受信ステップが受信した前記広告の一覧に含まれる前記広告から、利用者による前記広告の選択を受付ける選択受付ステップと、
前記端末装置の第３の送信手段によって、前記選択受付ステップが選択を受付けた前記広告の配信要求を前記広告配信装置に送信する第３の送信ステップと、
前記広告配信装置の第３の受信手段によって、前記端末装置から前記配信要求を受信する第３の受信ステップと、
前記広告配信装置の第４の送信手段によって、前記第３の受信ステップが受信した前記配信要求に基づき、要求された前記広告を、前記広告記憶手段から取得し、取得した前記広告を前記端末装置に送信する第４の送信ステップと、
を備えたことを特徴とする広告配信方法。
【請求項９】
前記作成ステップは、前記端末装置ごとに、前記広告を分類する情報であり、前記端末装置ごとに予め定められた広告種別を記憶する種別記憶手段から前記広告種別を取得し、前記入力受付手段が受付けた前記広告のうち、取得した前記広告種別に属する前記広告の一覧を作成すること、
を特徴とする請求項８に記載の広告配信方法。
【請求項１０】
前記作成ステップは、前記端末装置ごとに、前記入力受付ステップが受付けた前記広告のうち、前記端末装置ごとに広告に関連する店舗を前記広告種別として記憶する前記種別記憶手段に記憶された前記広告種別に属する前記広告の一覧を作成すること、
を特徴とする請求項９に記載の広告配信方法。
【請求項１１】
前記作成ステップは、前記端末装置ごとに、前記入力受付ステップが受付けた前記広告のうち、前記端末装置ごとに広告に関連する店舗が存在する地域を前記広告種別として記憶する前記種別記憶手段に記憶された前記広告種別に属する前記広告の一覧を作成すること、
を特徴とする請求項９に記載の広告配信方法。
【請求項１２】
前記端末装置の指定受付手段によって、前記第２の受信ステップが前記広告の一覧を受信した際、前記広告を分類する情報であり、前記端末装置ごとに予め定められた広告種別の指定を受付ける指定受付ステップと、
前記端末装置の第５の送信手段によって、前記指定受付ステップが受付けた前記広告種別を前記広告一覧配信装置に送信する第５の送信ステップと、
前記広告一覧配信装置の第４の受信手段によって、前記端末装置から前記広告種別を受信する第４の受信ステップと、
前記広告一覧配信装置の登録手段によって、前記第４の受信ステップが受信した前記広告種別を前記種別記憶手段に登録する登録ステップと、をさらに備えたこと、
を特徴とする請求項８に記載の広告配信方法。
【請求項１３】
前記端末装置の要求受付手段によって、前記広告の一覧の配信停止要求の入力を受付ける要求受付ステップと、
前記端末装置の第６の送信手段によって、前記要求受付ステップが受付けた前記配信停止要求を前記広告一覧配信装置に送信する第６の送信ステップと、
前記端末装置の第７の送信手段によって、前記要求受付ステップが前記配信停止要求を受付けた場合に、前記広告種別に属する前記広告の前記配信要求を前記広告配信装置に送信する第７の送信ステップと、
前記広告一覧配信装置の第５の受信手段によって、前記端末装置から前記配信停止要求を受信する第５の受信ステップと、をさらに備え、
前記第２の送信ステップは、前記第５の受信ステップが前記配信停止要求を受信した場合に、前記配信停止要求を送信した前記端末装置に対する前記広告の一覧の送信を停止すること、
を特徴とする請求項９〜１２のいずれか一つに記載の広告配信方法。
【請求項１４】
コンピュータに、前記請求項８〜１３のいずれか一つに記載された広告配信方法を実行させることを特徴とするプログラム。
【発明の詳細な説明】
【０００１】
【発明の属する技術分野】
本発明は、印刷物として配布可能な広告を電子データ化して配信する広告配信システム、広告配信方法およびその方法をコンピュータに実行させるためのプログラムに関する。
【０００２】
【従来の技術】
現在、新聞の購読者（以降、単に購読者という）に対して新聞と共に印刷物として配布される広告がある。このような広告は、一般的に折込広告とも呼ばれ、新聞を配達する各販売店を中心にした地域でなされる商品の販売に関する広告に多く利用されている。また、広告の対象となる商品は、食品、住宅、自動車、衣料と多岐にわたっている。
【０００３】
折込広告は、購読者にとって比較的身近な地域の情報が得られる有用な媒体であり、折込広告を得ることが新聞購読の目的の一つであるという購読者も存在する。また、近年では、カラー印刷やコンピュータによる編集技術の進歩に伴なって商品を視覚的にアピールすることができる広告が比較的安価、かつ簡易に作成できる。このため、折込広告は、広告を出す広告主にとっても手軽に実行できる上、集客効果の高い宣伝の手段として重要である。
【０００４】
【発明が解決しようとする課題】
しかしながら、折込広告は、購読者個々のニーズとは無関係に配布される。このため、各購読者が利用する折込広告は配布されたものの一部であり、利用されることなく廃棄される折込広告も少なくない。また、販売店ごとに設定される新聞の配達地域は、地域の住所によって決定する。このため、購読者によっては住まいから遠い地域でなされる販売に関する折込広告が配布され、近くにある店舗の広告が得られないといった不具合が起り得る。
【０００５】
さらに、近年では、インターネットによって配信される新聞を購読する購読者も多い。折込広告は、メールによって配信される広告よりも身近な情報を提供できることからインターネットによる購読者にとってもニーズがある。しかし、現在のところ、インターネットによる購読者のニーズに応えるサービスはなされていない。また、このため、広告主にとっては、インターネットによる購読者が増えるに連れて広告効果が低下するという不具合が生じていた。
【０００６】
本発明は、上記した点に鑑みてなされたものであり、身近な情報を提供でき、しかも視覚的なアピール効果の高い印刷物として配布される広告によって得られる情報を、新聞の購読とは無関係に配信できる広告配信システム、広告配信方法およびその方法をコンピュータに実行させるためのプログラムを提供することを第１の目的とする。
【０００７】
また、本発明は、身近な情報を提供でき、しかも視覚的なアピール効果の高い印刷物として配布される広告によって得られる情報を、個人のニーズに合わせて効率的に配信できる広告配信システム、広告配信方法およびその方法をコンピュータに実行させるためのプログラムを提供することを第２の目的とする。
【０００８】
【課題を解決するための手段】
上記した課題を解決し、目的を達成するため、請求項１に記載の発明にかかる広告配信システムは、電子データ化された広告の配信を要求する端末装置にネットワークで接続され、前記広告の一覧を前記端末装置に配信する広告一覧配信装置と、前記端末装置および前記広告一覧配信装置にネットワークで接続され、前記広告を前記端末装置に配信する広告配信装置とを有する広告配信システムであって、前記広告一覧配信装置は、前記広告の入力を受付ける入力受付手段と、前記入力受付手段が受付けた前記広告を前記広告配信装置に送信する第１の送信手段と、前記入力受付手段が受付けた前記広告の一覧を作成する作成手段と、前記作成手段が作成した前記広告の一覧を前記端末装置に送信する第２の送信手段と、を備え、前記端末装置は、前記広告一覧配信装置から前記広告の一覧を受信する第１の受信手段と、前記第１の受信手段が受信した前記広告の一覧に含まれる前記広告から、利用者による前記広告の選択を受付ける選択受付手段と、前記選択受付手段が選択を受付けた前記広告の配信要求を前記広告配信装置に送信する第３の送信手段と、を備え、前記広告配信装置は、前記広告を記憶可能な広告記憶手段と、前記広告一覧配信装置から前記広告を受信し、前記広告記憶手段に保存する第２の受信手段と、前記端末装置から前記配信要求を受信する第３の受信手段と、前記第３の受信手段が受信した前記配信要求に基づき、要求された前記広告を前記広告記憶手段から取得し、取得した前記広告を前記端末装置に送信する第４の送信手段と、を備えたことを特徴とする。
【０００９】
この請求項１に記載の発明によれば、印刷物として配布可能な広告を電子データ化し、蓄積しておくことができる。また、電子データ化された広告に関する広告情報を配信し、広告情報に基づいてなされた要求に応じて広告蓄積手段から広告を取得し、配信することができる。
【００１０】
請求項２に記載の発明にかかる広告配信システムは、前記広告一覧配信装置は、前記広告を分類する情報であり、前記端末装置ごとに予め定められた広告種別を記憶する種別記憶手段をさらに備え、前記作成手段は、前記端末装置ごとに前記種別記憶手段から前記広告種別を取得し、前記入力受付手段が受付けた前記広告のうち、取得した前記広告種別に属する前記広告の一覧を作成すること、を特徴とする。
【００１１】
この請求項２に記載の発明によれば、予め登録された広告種別に対応する広告に関する情報を配信することができる。
【００１２】
請求項３に記載の発明にかかる広告配信システムは、前記種別記憶手段は、広告に関連する店舗を前記広告種別として記憶すること、を特徴とする。
【００１３】
この請求項３に記載の発明によれば、予め登録された店舗の種別に対応する広告に関する情報を配信することができる。
【００１４】
請求項４に記載の発明にかかる広告配信システムは、前記種別記憶手段は、広告に関連する店舗が存在する地域を前記広告種別として記憶すること、を特徴とする。
【００１５】
この請求項４に記載の発明によれば、予め登録された地域に対応する広告に関する情報を配信することができる。
【００１６】
請求項５に記載の発明にかかる広告配信システムは、前記端末装置は、前記第１の受信手段が前記広告の一覧を受信した際、前記広告を分類する情報であり、前記端末装置ごとに予め定められた広告種別の指定を受付ける指定受付手段と、前記指定受付手段が受付けた前記広告種別を前記広告一覧配信装置に送信する第５の送信手段をさらに備え、前記広告一覧配信装置は、前記端末装置から前記広告種別を受信する第４の受信手段と、前記第４の受信手段が受信した前記広告種別を前記種別記憶手段に登録する登録手段と、をさらに備えたこと、を特徴とする。
【００１７】
この請求項５に記載の発明によれば、広告の配信のたびに広告種別を変更することができる。
【００２２】
請求項６に記載の発明にかかる広告配信システムは、前記端末装置は、前記広告の一覧の配信停止要求の入力を受付ける要求受付手段と、前記要求受付手段が受付けた前記配信停止要求を前記広告一覧配信装置に送信する第６の送信手段と、前記要求受付手段が前記配信停止要求を受付けた場合に、前記広告種別に属する前記広告の前記配信要求を前記広告配信装置に送信する第７の送信手段と、をさらに備え、前記広告一覧配信装置は、前記端末装置から前記配信停止要求を受信する第５の受信手段をさらに備え、前記第２の送信手段は、前記第５の受信手段が前記配信停止要求を受信した場合に、前記配信停止要求を送信した前記端末装置に対する前記広告の一覧の送信を停止すること、を特徴とする。
【００２３】
この請求項６に記載の発明によれば、広告情報の配信を停止し、蓄積されている広告の配信を直接要求することができる。
【００２４】
請求項７に記載の発明にかかる広告配信システムは、前記入力受付手段は、新聞と共に配布される折込広告を読取手段によって電子データ化した前記広告の入力を受付けること、を特徴とする。
【００２５】
この請求項７に記載の発明によれば、本発明の広告配信システムを、新聞と共に配布される折込広告の配信に利用することができる。
【００２６】
請求項８に記載の発明にかかる広告配信方法は、電子データ化された広告の配信を要求する端末装置にネットワークで接続され、前記広告の一覧を前記端末装置に配信する広告一覧配信装置と、前記端末装置および前記広告一覧配信装置にネットワークで接続され、前記広告を前記端末装置に配信する広告配信装置とを有する広告配信システムにおける広告配信方法であって、前記広告一覧配信装置の入力受付手段によって、前記広告の入力を受付ける入力受付ステップと、前記広告一覧配信装置の第1の送信手段によって、前記入力受付ステップが受付けた前記広告を前記広告配信装置に送信する第１の送信ステップと、前記広告配信装置の第1の受信手段によって、前記広告一覧配信装置から前記広告を受信する第１の受信ステップと、前記広告配信装置の広告記憶手段に、前記第１の受信手段が受信した前記広告を記憶する広告記憶ステップと、前記広告一覧配信装置の作成手段によって、前記入力受付手段が受付けた前記広告の一覧を作成する作成ステップと、前記広告一覧配信装置の第２の送信手段によって、前記作成ステップが作成した前記広告の一覧を前記端末装置に送信する第２の送信ステップと、前記端末装置の第２の受信手段によって、前記広告一覧配信装置から前記広告の一覧を受信する第２の受信ステップと、前記端末装置の選択受付手段によって、前記第２の受信ステップが受信した前記広告の一覧に含まれる前記広告から、利用者による前記広告の選択を受付ける選択受付ステップと、前記端末装置の第３の送信手段によって、前記選択受付ステップが選択を受付けた前記広告の配信要求を前記広告配信装置に送信する第３の送信ステップと、前記広告配信装置の第３の受信手段によって、前記端末装置から前記配信要求を受信する第３の受信ステップと、前記広告配信装置の第４の送信手段によって、前記第３の受信ステップが受信した前記配信要求に基づき、要求された前記広告を、前記広告記憶手段から取得し、取得した前記広告を前記端末装置に送信する第４の送信ステップと、を備えたことを特徴とする。
【００２７】
この請求項８に記載の発明によれば、印刷物として配布可能な広告を電子データ化し、蓄積しておくことができる。また、電子データ化された広告に関する広告情報を配信し、広告情報に基づいてなされた要求に応じて広告蓄積手段から広告を取得し、配信することができる。
【００２８】
請求項９に記載の発明にかかる広告配信方法は、前記作成ステップは、前記端末装置ごとに、前記広告を分類する情報であり、前記端末装置ごとに予め定められた広告種別を記憶する種別記憶手段から前記広告種別を取得し、前記入力受付手段が受付けた前記広告のうち、取得した前記広告種別に属する前記広告の一覧を作成すること、を特徴とする。
【００２９】
この請求項９に記載の発明によれば、予め登録された広告種別に対応する広告に関する情報を配信することができる。
【００３０】
請求項１０に記載の発明にかかる広告配信方法は、前記作成ステップは、前記端末装置ごとに、前記入力受付ステップが受付けた前記広告のうち、前記端末装置ごとに広告に関連する店舗を前記広告種別として記憶する前記種別記憶手段に記憶された前記広告種別に属する前記広告の一覧を作成すること、を特徴とする。
【００３１】
この請求項１０に記載の発明によれば、予め登録された店舗の種別に対応する広告に関する情報を配信することができる。
【００３２】
請求項１１に記載の発明にかかる広告配信方法は、前記作成ステップは、前記端末装置ごとに、前記入力受付ステップが受付けた前記広告のうち、前記端末装置ごとに広告に関連する店舗が存在する地域を前記広告種別として記憶する前記種別記憶手段に記憶された前記広告種別に属する前記広告の一覧を作成すること、を特徴とする。
【００３３】
この請求項１１に記載の発明によれば、予め登録された地域に対応する広告に関する情報を配信することができる。
【００３４】
請求項１２に記載の発明にかかる広告配信方法は、前記端末装置の指定受付手段によって、前記第２の受信ステップが前記広告の一覧を受信した際、前記広告種別の指定を受付ける指定受付ステップと、前記端末装置の第５の送信手段によって、前記指定受付ステップが受付けた前記広告種別を前記広告一覧配信装置に送信する第５の送信ステップと、前記広告一覧配信装置の第４の受信手段によって、前記端末装置から前記広告種別を受信する第４の受信ステップと、前記広告一覧配信装置の登録手段によって、前記第４の受信ステップが受信した前記広告種別を前記種別記憶手段に登録する登録ステップと、をさらに備えたこと、を特徴とする。
【００３５】
この請求項１２に記載の発明によれば、広告の配信のたびに広告種別を変更することができる。
【００４０】
請求項１３に記載の発明にかかる広告配信方法は、前記端末装置の要求受付手段によって、前記広告の一覧の配信停止要求の入力を受付ける要求受付ステップと、前記端末装置の第６の送信手段によって、前記要求受付ステップが受付けた前記配信停止要求を前記広告一覧配信装置に送信する第６の送信ステップと、前記端末装置の第７の送信手段によって、前記要求受付ステップが前記配信停止要求を受付けた場合に、前記広告種別に属する前記広告の前記配信要求を前記広告配信装置に送信する第７の送信ステップと、前記広告一覧配信装置の第５の受信手段によって、前記端末装置から前記配信停止要求を受信する第５の受信ステップと、をさらに備え、前記第２の送信ステップは、前記第５の受信ステップが前記配信停止要求を受信した場合に、前記配信停止要求を送信した前記端末装置に対する前記広告の一覧の送信を停止すること、を特徴とする。
【００４１】
この請求項１３に記載の発明によれば、広告情報の配信を停止し、蓄積されている広告の配信を直接要求することができる。
【００４２】
請求項１４に記載の発明にかかるプログラムは、コンピュータに、前記請求項８〜１３のいずれか一つに記載された広告配信方法を実行させることを特徴とする。
【００４３】
この請求項１３に記載の発明によれば、前記請求項８〜１３のいずれか一つに記載された広告配信方法をコンピュータに実行させることができる。
【００４４】
【発明の実施の形態】
以下に添付図面を参照して、この発明にかかる広告配信システム、広告配信方法およびその方法をコンピュータに実行させるためのプログラムの好適な実施の形態を詳細に説明する。なお、本実施の形態は、新聞と共に配布される折込広告を配信するものとして本発明の広告配信システムを説明するものとする。
【００４５】
図１は、本発明の広告配信システムを説明するための図である。図示した広告配信システムは、３つの会員化されたグループと、システム全体を運営するビジネス本部１０４とで構成される。本実施の形態でいう３つのグループは、折込広告を提供する折込広告提供会員１０１、１０２、地区事業者１０３、購読会員Ａ、Ｂ、Ｃである。折込広告提供会員のうち、折込広告を印刷物として提供する会員を折込広告提供会員１０１といい、折込広告を電子データ化して提供する会員を折込広告提供会員１０２というものとする。
【００４６】
上記した会員のうち、折込広告提供会員１０２は、スキャナ１０６と、パーソナルコンピュータ（パソコン）１０８とを有し、折込広告１０５をスキャナ１０６で読み込んで電子データ化している。電子化された折込広告１０５のデータ（折込広告データ）は、パソコン１０８によって地区事業者１０３に送信される。
【００４７】
地区事業者１０３は、折込広告提供会員１０１から印刷物として配布可能な広告である折込広告１０５を回収する。この回収は、自動車などで折込広告提供会員宅を訪問するなど、物理的な手段によって行われる。地区事業者１０３は、回収した折込広告１０５を電子データ化するスキャナ１０６、電子データ化された折込広告１０５に関する広告情報を配信するためのパソコン１０７を有している。
【００４８】
また、ビジネス本部１０４は、パソコン１０９、サーバ１１０、データベース１１２を備えている。地区事業者１０３によって作成された折込広告データは、ビジネス本部１０４にサーバ１１０を介して送信され、データベース１１２に蓄積される。
【００４９】
また、購読会員Ａ〜Ｃは、地区事業者１０３によって配信された広告情報を受信するパソコン１１３ａ、１１３ｂ、１１３ｃをそれぞれ備えている。購読会員Ａ〜Ｃは、それぞれパソコン１１３ａ、１１３ｂ、１１３ｃを用い、配信された広告情報に基づいて配信を希望する広告をビジネス本部１０４に要求する。ビジネス本部１０４は、要求に応じてデータベース１１２から折込広告データを取得し、サーバ１１０によって配信する。
【００５０】
以下、本実施の形態の広告配信システムにおいてなされる処理を、より詳細に説明する。地区事業者１０３は、折込広告提供会員１０１宅から折込広告１０５を回収してスキャナ１０６で電子データ化し、折込広告データを作成する。また、折込広告提供会員１０２は、折込広告１０５をスキャナ１０６で読みとって作成された折込広告データを地区事業者１０３のパソコン１０７に送信する。
【００５１】
また、パソコン１０７は、購読会員Ａ〜Ｃがそれぞれ配信を要求する折込広告データの種別を予め登録しておく機能を有する。地区事業者１０３は、パソコン１０７に登録されている折込広告種別に対応する折込広告１０５に関する情報を配信する。
【００５２】
折込広告データの種別の登録は、例えば、店舗の種別によって行うことができる。店舗の種別による登録は、食品を販売するスーパーマーケット、総合的な商品を販売する百貨店というように１つの種別を指定して行うことができる。また、不動産を扱う店舗およびディスカウントストア、新築マンションを扱う店舗およびホームセンター、美容院と総合スーパーマーケットおよび薬局といったように、複数の店舗の種別を指定して行うこともできる。さらに、Ａスーパーマーケット、Ｂ薬局、Ｃ不動産というように、具体的な店舗名を指定して行うこともできる。
【００５３】
また、折込広告データの種別の登録は、例えば、店舗が存在する地域によって行うことができる。店舗が存在する地域による登録は、○○地区、××町というように１つの地域を指定して行うことができる。また、複数の地区を指定して行うこともできる。
【００５４】
地区事業者１０３は、登録されている広告種別に対応する折込広告１０５に関する情報を配信するため、折込広告データを種別ごとに分類する。折込広告データの分類は、パソコン１０７がＯＣＲ（Optical Character Recognition）機能を用いて折込広告１０５に書かれた文字を認識し、認識された文字に基づいて折込広告データを複数のカテゴリーに分類することによってなされる。
【００５５】
折込広告データの分類は、食品を販売するスーパーマーケット、総合的な商品を販売する百貨店、ディスカウントストア、ホームセンター、美容院、薬局といった店舗の種別をカテゴリーとして行うことができる。また、Ａスーパーマーケット、Ｂ薬局、Ｃ不動産といった具体的な店舗名をカテゴリーとして行うこともできる。さらに、折込広告データの分類は、例えば、○○地区、××町といった店舗が存在する地域をカテゴリーとして行うこともできる。分類された折込広告データは、今日の折込広告データ１１５ａとしてビジネス本部１０４に送信され、データベース１１２に蓄積される。
【００５６】
つぎに、地区事業者１０３は、折込広告データのリストを、分類されたカテゴリーごとに作成する。そして、作成されたリストを予め登録された広告種別に対応して編集し、ＵＲＬ（Uniform Resource Locator）リストである折込広告一覧表データ１１４として各購読会員に配信する。なお、本実施の形態の広告配信システムでは、登録される広告種別を、広告の配信のたびに変更することができるものとする。
【００５７】
折込広告一覧表データ１１４の配信を受けた購読会員Ａ〜Ｃは、折込広告一覧表データ１１４から配信を要求する折込広告データを選択する。そして、ビジネス本部１０４に対し、選択された折込広告データを示す折込広告一覧表データ１１４をパソコン１１３ａ〜ｃを使って送信する。なお、折込広告データの選択は、例えば折込広告一覧表データ１１４中の配信を要求する折込広告データにチェックをするといった方法で行うものであってもよい。
【００５８】
ビジネス本部１０４は、折込広告一覧表データ１１４において選択された折込広告データをデータベース１１２から取り出す。そして、折込広告を要求した購読会員Ａ〜Ｃに対し、購読会員が見たい折込広告データ１１５ｂとして配信する。
【００５９】
図２は、以上述べた広告配信システムの広告配信方法において、地区事業者１０３によって行われる処理を説明するためのフローチャートである。地区事業者１０３は、折込広告提供会員１０２から送信された折込広告データを受信する（ステップＳ２０１）。また、折込広告提供会員１０１から回収した折込広告１０５をスキャナ１０６で電子データ化し、折込広告データを作成する（ステップＳ２０２）。
【００６０】
つぎに、地区事業者１０３は、パソコン１０７に登録されている購読会員Ａ〜Ｃの配信を要求する折込広告データの種別（折込広告データが示す店舗の種別や店舗のある地域）を確認する（ステップＳ２０３）。また、本実施の形態において折込広告データの種別の登録は折込広告データの配信のたび（毎日でも可能）に更新することが可能であるから、折込広告データの種別の登録が変更されているか否か判断する（ステップＳ２０４）。判断の結果、登録に変更がない場合（ステップＳ２０４：Ｎｏ）、各購読会員ごとに登録されている折込広告データ種別に沿って折込広告一覧表データ１１４を作成する（ステップＳ２０６）。
【００６１】
また、ステップＳ２０４において、登録に変更があると判断された場合（ステップＳ２０４：Ｙｅｓ）、登録のデータを変更後のデータに更新する（ステップＳ２０５）。そして、各購読会員ごとの折込広告一覧表データ１１４を作成し（ステップＳ２０６）、送信する（ステップＳ２０７）。
【００６２】
以上述べた本実施の形態の広告配信システムによれば、購読会員は、印刷物としての新聞を購読することなく折込広告の情報を入手することができる。また、購読会員が入手する折込広告データは折込広告をスキャナで電子データ化したものであるから、購読会員は、折込広告と同様にレイアウトされた画像として折込広告の情報を入手することができる。
【００６３】
さらに、地区事業者は折込広告データの一覧表だけを購読会員に送信し、ビジネス本部は一覧表にある折込広告データのうちの要求されたものだけを配信する。このため、地区事業者、ビジネス本部は共に広告効果の高い折込広告データだけを送信することになり、本実施の形態の折込広告データの配信効率を高めることができる。また、購読会員にとっても、不要な折込広告データを消去するわずらわしさ、見たくない折込広告データ（重病人がいるときの墓所の広告など）が配信されてくる不快感を避けることができる。
【００６４】
さらに、本実施の形態によれば、折込広告を電子データ化して配信し、購読会員が必要に応じて印刷することができる。このため、紙資源を節減し、不用になった折込広告の処分にかかる負荷をも軽減することができる。
【００６５】
ところで、上記した本実施の形態において、ビジネス本部１０４は、送信された折込広告一覧表データ１１４によって各購読会員にとってニーズのある情報を知ることができる。購読会員のニーズに関する情報を、例えば、配信が要求された日時、地域、広告種別に基づいて加工することにより、ビジネス本部１０４は、商品と商品の市場との関係を示す情報（マーケティング情報）を作成することができる。配信が要求された日時、地域、広告種別に基づいて折込広告一覧表データの情報を加工して得られるマーケティング情報としては、「○○区では日曜日にコンピュータ機器に関する広告の配信を希望する家庭が多い」、「マンションに住む会員の多くは土曜日に食品店の広告の配信を希望する」といったものが考えられる。
【００６６】
また、一般的に広告配信システムでは、購読会員のメールアドレスを含む個人情報（氏名、住所、性別、料金を徴収するためのカード番号など、以降会員情報という）がビジネス本部１０４に登録されている。例えば、会員情報のうち性別と住所とによって配信を要求された広告の情報を加工した場合、「関西地方の女性と東北地方の女性との商品のニーズの相違」、「独身者が多く居住すると思われる地域に住む男性と、一戸建ての多い住宅街に住む男性との商品のニーズの相違」といったマーケティング情報が作成できる。
【００６７】
また、本実施の形態の広告配信システムは、購読会員の登録にあたって趣味や職業、配偶者や子供の有無といったアンケートを行うことができる。そして、アンケート結果に基づいて購読会員のニーズに関する情報を加工すると、「車に興味がある独身男性にとってニーズのあるカー用品」、「子供のいる３０代の女性にとってニーズのある衣料」といったマーケティング情報をも作成することができる。
【００６８】
さらに、上記したマーケティング情報は、例えばチェーン店などにおいて新たに支店を設ける地域を決定することに使用することができる。すなわち、マーケティング情報に基づいて、既存の支店のうちの売上が良好な既存の支店がある地域と住民の年齢や職業、居住形態といった要素が共通する地域を検索することにより、良好な売上が見込める地域を知ることができる。
【００６９】
図３は、本実施の形態の広告配信方法において、ビジネス本部１０４においてなされる処理を説明するためのフローチャートである。ビジネス本部１０４は、先ず、地区事業者１０３から折込広告データを受信し（ステップＳ３０１）、データベース１１２に蓄積する（ステップＳ３０２）。
【００７０】
また、購読会員Ａ〜Ｃから折込広告一覧表データ１１４を受信する（ステップＳ３０３）。そして、折込広告一覧表データ１１４において、各購読会員が配信を要求した折込広告データをデータベース１１２から取りだし、編集（複数の折込広告を１度に送信できるデータに加工する、見出しを付す、体裁を整えるなど）する（ステップＳ３０４）。編集された折込広告データは、配信を要求した各購読会員に配信される（ステップＳ３０５）。
【００７１】
また、ビジネス本部１０４は、折込広告一覧表データ１１４を購読会員Ａ〜Ｃのデータに基づいて加工し、マーケティング情報を作成する。そして、データベース１１２あるいは他のデータベースに蓄積する（ステップＳ３０６）。ステップＳ３０６において蓄積されたマーケティング情報は、ビジネス本部が他のサービスに利用することもできる。また、購読会員の了承のもとに販売することもできる。
【００７２】
なお、以上、図２、図３のフローチャートで説明した広告配信方法は、予め用意されたプログラムをコンピュータで実行することにより実現される。このプログラムは、ハードディスク、フロッピー(登録商標)ディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、また伝送媒体として、インターネット等のネットワークを介して配布することができる。
【００７３】
以上述べた本実施の形態の広告配信システムは、広告配信システムの運営中に広告配信のニーズに関する情報を蓄積することができる。そして、蓄積した広告配信のニーズを広告配信が要求された日時、地域、広告種別、さらには購読会員の情報に基づいて加工することにより、ビジネスに有用なマーケティング情報を作成することができる。
【００７４】
なお、本発明は、購読会員が折込広告一覧表データ１１４から配信を希望する折込広告データを選択するものに限定されるものではない。例えば、購読会員の希望に応じ、地区事業者１０３からの折込広告一覧表データ１１４の配信を停止する。また、ビジネス本部１０４に対して予め登録されている広告種別に属する折込広告データの配信が要求されるように設定することもできる。このようにした場合、購読会員がメールを利用してビジネス本部１０４に折込広告データの配信を要求する必要がなくなり、コンピュータの操作に馴染みがない購読会員にとってより使いやすい広告配信システムを提供することができる。
【００７５】
また、本発明の広告配信システムは、上記した実施の形態のように新聞の折込広告を電子データ化して配信するものに限定されるものでなく、他の印刷物として配布可能な広告を配信することもできる。他の広告としては、例えば、地域の住民に対して発信される「ピアノ教えます」、「家庭教師します」、「行方不明の愛犬に関する情報を知らせてください」といったポスター、あるいは駅などに置かれた「当駅近郊の名所」、「○○祭のご案内」といったパンフレットが考えられる。
【００７６】
（経済効果）
つぎに、以上説明した本発明の広告配信システムにおいて得られる経済的な効果の一例を具体的な数値を使って述べる。なお、以下に述べる例は、フランチャイズ方式で行われるものであり、地区事業者１０３がビジネス本部１０４に対して広告配信システムの使用ロイヤリティを支払うものとする。また、ビジネス本部１０４は、希望する地区事業者１０３に対してスキャナ１０６やパソコン１０７を貸し出し、レンタル料を徴収することもできる。
【００７７】
地区事業者１０３は、午前６〜７時までに折込広告提供会員１０１宅を訪れて折込広告の提供を受ける。折込広告提供会員１０１は、折込広告の提供によって１回２００円程度の折込広告提供料を受け取る。このため、１ヶ月（３０日）間毎日折込広告を提供した場合、折込広告提供会員１０１は、６０００円の収入を得ることができる。
【００７８】
また、折込広告提供会員１０２は、午前６〜７時までに折込広告を電子データ化して地区事業者１０３に送信し、１回６００円程度の折込広告提供料を受け取る。このため、１ヶ月（３０日）間毎日折込広告を提供した場合、折込広告提供会員１０２は、１８０００円の収入を得ることができる。
【００７９】
また、地区事業者１０３は、購読会員と１ヶ月３００〜５００円程度の料金で広告配信の契約を結び、購読会員が登録した広告種別に属する折込広告データを午前７〜９時までに配信する。１０００件の購読会員と契約した場合、地区事業者１０３は、１ヶ月に最高５０万円を購読会員から徴収することができる。
【００８０】
このため、地区事業者１０３は、例えば、１０人の折込広告提供会員１０１と契約し、ビジネス本部１０４に毎月１０万円の使用ロイヤリティを支払った場合、１ヶ月に３４万円（５０万円から使用ロイヤリティ１０万円と１０人分の広告提供料６万円を差し引く）を得ることができる。なお、１０人の折込広告提供会員１０１から回収した折込広告をスキャナ１０６で取り込む作業にかかる処理は、３時間程度であると思われる。また、本発明の広告配信方法は、上述したように、予め用意されたプログラムによりコンピュータが自動的に実行することができる。したがって、地区事業者は、１日３時間程度の労働によって１ヶ月に３４万円の収入を得ることができる。また、１日のうち比較的短時間でできる地区事業者としての労働は、家庭の主婦のアルバイトとしても成立する。
【００８１】
また、例えば、１０人の折込広告提供会員１０２と契約し、ビジネス本部１０４に毎月１０万円の使用ロイヤリティを支払った場合、１ヶ月に２２万円（５０万円から使用ロイヤリティ１０万円と１０人分の広告提供料１８万円を差し引く）を得ることができる。この場合、地区事業者１０３は、折込広告をスキャナ１０６で電子データ化する作業をする必要もない。このため、さらに作業にかかる時間や労力を低減することができ、収入効率を高めることができる。
【００８２】
また、ビジネス本部１０４は、日本全国に１２００人の地区事業者１０３を確保した場合、１ヶ月に１億２０００万円の使用ロイヤリティを得ることができる。また、スキャナ１０６やパソコン１０７のレンタル料を加えれば、さらに高額な収入を得ることができる。その上、マーケティング情報を利用して他のビジネスを有利に展開することができ、マーケティング情報を販売することによっても収入を得ることができる。こうした収入は、本発明の広告配信方法をコンピュータに実行させる配信プログラムを開発する費用（１億２０００万円程度と考えられる）を回収して充分な利益をあげられるものといえる。
【００８３】
さらに、折込広告を入手することを目的に新聞を購読していた購読者は、新聞の購読を中止し、本発明の広告配信システムの購読会員となれば、折込広告を入手するためにかかる費用を３５００円程度節減することができる（新聞の購読料を１ヶ月４０００円とし、折込広告データの配信料を１ヶ月５００円とした場合）。
【００８４】
【発明の効果】
以上説明したように、請求項１に記載の発明は、印刷物として配布可能な広告を電子データ化し、広告情報に基づいてなされた要求に応じて配信する。このため、身近な情報を提供でき、しかも視覚的なアピール効果の高い印刷物として配布される広告によって得られる情報を、個人のニーズに合わせて効率的に配信できるという効果を奏する。
【００８５】
請求項２に記載の発明は、予め登録された広告種別に対応する広告に関する情報を配信することができる。このため、印刷物として配布される広告によって得られる情報を、個人のニーズに合わせて効率的に配信できるという効果を奏する。
【００８６】
請求項３に記載の発明は、印刷物として配布される広告によって得られる情報を、個人が希望する店舗の種別に合わせて効率的に配信できるという効果を奏する。
【００８７】
請求項４に記載の発明は、印刷物として配布される広告によって得られる情報を、個人が希望する店舗が存在する地域に合わせて効率的に配信できるという効果を奏する。
【００８８】
請求項５に記載の発明は、いったん登録した広告種別を広告の配信のたびに変更することを可能にして広告配信システムの使い勝手を高めることができるという効果を奏する。
【００９１】
請求項６に記載の発明は、広告情報から要求する広告を選択する手間を、ユーザが省くことができるという効果を奏する。
【００９２】
請求項７に記載の発明は、折込広告として配布される広告によって得られる情報を、新聞の購読とは無関係に配信することができるという効果を奏する。
【００９３】
請求項８に記載の発明は、印刷物として配布可能な広告を電子データ化し、広告情報に基づいてなされた要求に応じて配信する。このため、身近な情報を提供でき、しかも視覚的なアピール効果の高い印刷物として配布される広告によって得られる情報を、個人のニーズに合わせて効率的に配信できるという効果を奏する。
【００９４】
請求項９に記載の発明は、予め登録された広告種別に対応する広告に関する情報を配信することができる。このため、印刷物として配布される広告によって得られる情報を、個人のニーズに合わせて効率的に配信できるという効果を奏する。
【００９５】
請求項１０に記載の発明は、印刷物として配布される広告によって得られる情報を、個人が希望する店舗の種別に合わせて効率的に配信できるという効果を奏する。
【００９６】
請求項１１に記載の発明は、印刷物として配布される広告によって得られる情報を、個人が希望する店舗が存在する地域に合わせて効率的に配信できるという効果を奏する。
【００９７】
請求項１２に記載の発明は、いったん登録した広告種別を広告の配信のたびに変更することを可能にして広告配信システムの使い勝手を高めることができるという効果を奏する。
【０１００】
請求項１３に記載の発明は、折込広告として配布される広告によって得られる情報を、新聞の購読とは無関係に配信することができるという効果を奏する。
【０１０１】
請求項１４に記載の発明は、前記請求項８〜１３のいずれか一つに記載された広告配信方法をコンピュータに実行させることができるという効果を奏する。
【図面の簡単な説明】
【図１】本発明の一実施の形態の広告配信システムを説明するための図である。
【図２】図１に示した広告配信システムにおいて、地区事業者によって行われる処理を説明するためのフローチャートである。
【図３】図１に示した広告配信システムにおいて、ビジネス本部１０４においてなされる処理を説明するためのフローチャートである。
【符号の説明】
１０１，１０２  折込広告提供会員
１０３  地区事業者
１０４  ビジネス本部
１０５  折込広告
１０６  スキャナ
１０７，１０８，１０９，１１３ａ，１１３ｂ，１１３ｃ  パソコン
１１０  サーバ
１１２  データベース
１１４  折込広告一覧表データ
１１５ａ，１１５ｂ  折込広告データ
【図１】
0003884268.tif 000002
【図２】
0003884268.tif 000003
【図３】
0003884268.tif 000004